(57)【特許請求の範囲】
【請求項１】
メーター本体（Ｍ）の前後に計量室（４，５）を有し、各計量室（４，５）内に翼軸（１８）の一部を突入し、翼軸（１８）に固定した翼（１２）が前後に揺動し、翼（１２）の先部に有する短軸（１６）に軸受（１５）を係合し、膜（６）を挟持した一対の膜板（１４，１４）に軸受（１５）を固定し、各計量室（４，５）内を膜（６）が往復運動する膜式ガスメーターの膜支持構造において、
軸受（１５）は、コ字状であって、上下に対向する係合片（２０，２０）に軸通し穴（１７）を円形に開け、
翼（１２）は、先部に軸受取付口（２２）を前後に連通して形成し、軸通し穴（１７）に挿入する短軸（１６）を軸受取付口（２２）の上桟（２３）及び下桟（２５）の横幅中央部から別々に起立し、軸受取付口（２２）の横幅を狭める弾性桟（２６）が上桟（２３）から垂下すると共に、軸通し穴（１７）を下側の短軸（１６）の真上側に導くガイド片（２７）が弾性桟（２６）の下部の横幅方向に対向して設けてあり、
翼（１２）と軸受（１５）との係合状態は、短軸（１６）に通した下側の係合片（２０）の上方に弾性桟（２６）が配置され、弾性桟（２６）によって係合片（２０）を短軸（１６）から脱出不能に規制した状態であることを特徴とする膜式ガスメーターの膜支持構造。
【発明の詳細な説明】
【０００１】
【発明の属する技術分野】
本発明は、膜の往復運動を翼の揺動運動に変えるために膜と翼を連結してある部分に工夫を施した膜式ガスメーターの膜支持構造に関する。
【０００２】
【従来の技術】
膜式ガスメーターの作動原理を説明する。先ず、図７に示すようにガスがメーター本体Ｍの入口１よりバルブ２、分配室３を通過して、前後の計量室４，５の一方に突入する。各計量室４，５は膜６によって前部屋７，８、後部屋９，１０に仕切ってあり、ガスが突入した部屋は圧力差によって膜６が移動して広くなり、一方、膜６の移動によって狭くなった部屋のガスが再度、分配室３、バルブ２を経て出口１１に排出される。膜の往復運動は図８に示すように、ガスが突入した計量室内の翼１２の揺動運動に変えられた後に計量室外のリンク機構１３に伝えられ、最終的にメーター指示部（図示省略）が駆動する。また、図８の（イ）から（ニ）に示すようにリンク機構１３の動きに伴ってバルブ２が所定角度回転すると、バルブ２と分配室３との連通の仕方が変わり、入口に連通する計量室の部屋が切り換わると共に、出口に連通する部屋が切り換わる。従って、ガスの使用によってガスの出入りする部屋が図７の（イ）、（ロ）、（ハ）、（ニ）の順番に変わり、それに伴って前後の膜が順々に往復運動することになり、ガスの計量が行われる。なお、図７と図８の各図は対応している。
【０００３】
ところで、膜６の往復運動は前述したように翼１２の揺動運動に変えられるが、膜の支持構造は図９から図１１に示すように、膜６を挟持する一対の膜板１４，１４に軸受１５を固定し、翼１２の先に短軸１６，１６を上向き及び下向きに突出し、両短軸に軸受１５を嵌め合わせて係合した構造となっている。また、軸受１５の軸通し穴１７が平面視してＣ字状となっていた。
【０００４】
軸受は、膜の運動を短軸に伝える役割を果たすので、その軸通し穴の形状が短軸の動きを左右することになる。しかし軸通し穴はＣ字状となっているため、Ｃ字状の開放している部分と、囲まれている部分とでは、短軸のがたつき具合に差ができる。従って、往動の際には開放している部分から短軸に力が伝達すると、復動の際には囲まれている部分から伝達することになり、極めて小さいながらも計量誤差が生ずる原因となる。
【０００５】
【発明が解決しようとする課題】
本発明は上記実情を考慮して開発されたもので、その目的は、膜側に固定した軸受から、翼の軸への力の伝わり方を、膜の往動時と復動時とで均一にすることである。
【０００６】
【課題を解決するための手段】
本発明は、メーター本体の前後に計量室を有し、各計量室内に翼軸の一部を突入し、翼軸に固定した翼が前後に揺動し、翼の先部に有する短軸に軸受を係合し、膜を挟持した一対の膜板に軸受を固定し、各計量室内を膜が往復運動する膜式ガスメーターの膜支持構造において、軸受は、コ字状であって、上下に対向する係合片に軸通し穴を円形に開け、翼は、先部に軸受取付口を前後に連通して形成し、軸通し穴に挿入する短軸を軸受取付口の上桟及び下桟の横幅中央部から別々に起立し、軸受取付口の横幅を狭める弾性桟が上桟から垂下すると共に、軸通し穴を下側の短軸の真上側に導くガイド片が弾性桟の下部の横幅方向に対向して設けてあり、翼と軸受との係合状態は、短軸に通した下側の係合片の上方に弾性桟が配置され、弾性桟によって係合片を短軸から脱出不能に規制した状態であることを特徴とする。
【０００７】
弾性桟とガイド片の位置関係は、弾性桟を上桟の翼軸側から垂下した場合には、軸受取付口の先を囲む縦桟からガイド片を突出するものとし、弾性桟を上桟の先側から垂下した場合には、軸受取付口の翼軸側を囲む翼自体からガイド片を突出するものとする。
【０００８】
【発明の実施の形態】
以下、本発明の膜式ガスメーターの膜支持構造を図面に基づいて説明する。なお、従来例と共通する構成要素には同一の符号を付けるものとする。
【０００９】
膜支持構造は、膜６の往復運動を翼１２の揺動運動に変えるもので、図５又は図６に示すように、計量室外から計量室内に翼軸１８の一部を突入し、翼軸１８に翼１２を固定し、翼１２の先の短軸１６に軸受１５を係合し、一対の膜板１４，１４に挟持された膜６に軸受１５を固定してある。なお、翼軸１８の上部はリンク機構１３に固定されており、翼軸１８の回転に伴ってリンク機構１３が動く構造となっている。
【００１０】
軸受１５は図３に示すように、仲介片１９の上下から係合片２０を横向きに突出したコ字状となっており、両係合片２０，２０に円形の軸通し穴１７を対向して開け、膜側に固定する雄ネジ２１を仲介片１９の中間高さ部分から係合片２０とは反対側に突出している。また、図１に示すように雄ネジ２１にねじ込んだナットＮと仲介片１９の間に、膜板１４，１４に挟持された膜６を固定する。
【００１１】
翼１２は図１、図２又は図４に示すように、平面視すると膜６の皿形状に合わせて屈曲しており、正面視すると翼軸１８側よりも先部側が低くなっており、先部に係合した軸受１５が膜６の中央部に配置される（図６参照）。また、翼１２は、その先部に軸受取付口２２を前後に連通して形成してある。軸受取付口２２は、上桟２３、縦桟２４、下桟２５、翼１２自体によって四方を囲まれた領域であり、上桟２３及び下桟２５の横幅中央部から短軸１６をそれぞれ起立し、上桟２３からは弾性桟２６を軸受取付口２２の横幅を狭くする状態で垂下し、縦桟２４からは弾性桟２６の下部に対向してガイド片２７を、下方に向かって徐々に幅広となる三角形状に突出してある。
【００１２】
翼１２に軸受１５を係合するには、軸受取付口２２に下側の係合片２０を差し込んで軸受１５を引き下ろすだけでよい。すると、ガイド片２７に沿って係合片２０が移動して弾性桟２６を横幅方向に押し広げつつ下側の係合片２０の軸通し穴１７が下側の短軸１６の真上側に導かれ、それに伴って上側の係合片も上側の短軸の真上側に導かれて、両短軸１６，１６に軸通し穴１７，１７がそれぞれ嵌り込む。また、短軸１６に差し込んだ下側の係合片２０の上方には弾性桟２６が位置し、弾性桟２６によって係合片２０の上方向の移動を規制し、係合片２０が短軸１６から外れるのを阻止している。
【００１３】
膜６は、弾性を有する素材で皿状に形成され、その外周縁部を前後から挟持してシールし、挟持された部分以外がガスの圧力によって前後に往復運動する。また、膜６と膜板１４の中央部には、軸受１５の雄ネジ２１を通す抜穴（符号、省略）が開けてある。
【００１４】
【発明の効果】
本発明は、軸通し穴が円形であるので、軸通し穴の全周に亘って短軸のがたつき具合が均一となる。従って、膜側に固定した軸受から、翼の軸への力の伝わり方が、膜の往動時と復動時とで均一になり、計量誤差が極めて小さくなる。また、ガイド片と弾性桟によって軸通し穴に短軸を通しやすくなるので、翼に軸受を取付け易くなる。一方、弾性桟を側方に押し広げれば、軸受を上方に引き上げるだけで、軸から軸受を外すことができる。
【図面の簡単な説明】
【図１】本発明の膜式ガスメーターの膜支持構造の横断面図である。
【図２】（イ）（ロ）翼と軸受との係合状態を示す正面図、（イ）図のＡーＡ線断面図である。
【図３】（イ）（ロ）（ハ）軸受の正面図、（イ）図のＡ−Ａ線断面図、平面図である。
【図４】（イ）（ロ）（ハ）翼の正面図、（イ）図のＢ−Ｂ線断面図、（イ）図のＡ−Ａ線断面図である。
【図５】翼と翼軸の関係を示す断面図である。
【図６】計量室内の膜の配置を示す断面図である。
【図７】（イ）（ロ）（ハ）（ニ）ガスの出入りする部屋が切り換わることを示す断面図である。
【図８】（イ）（ロ）（ハ）（ニ）リンク機構の動き及びバルブの回転運動と翼の揺動運動との関係を示す説明図である。
【図９】従来の膜式ガスメーターの膜支持構造を示す横断面図である。
【図１０】（イ）（ロ）従来の膜式ガスメーターの膜支持構造の正面図、（イ）図のＡ−Ａ線断面図である。
【図１１】従来の膜式ガスメーターの膜支持構造の翼と軸受を分解した平面図である。
【符号の説明】
Ｍ  メーター本体
４，５  計量室
６  膜
１２  翼
１４  膜板
１５  軸受
１６  短軸
１７  軸通し穴
１８  翼軸
２０  係合片
２２  軸受取付口
２３  上桟
２５  下桟
２６  弾性桟
２７  ガイド片
【図１】
0004782318.tif 000002
【図２】
0004782318.tif 000003
【図３】
0004782318.tif 000004
【図４】
0004782318.tif 000005
【図５】
0004782318.tif 000006
【図６】
0004782318.tif 000007
【図７】
0004782318.tif 000008
【図８】
0004782318.tif 000009
【図９】
0004782318.tif 000010
【図１０】
0004782318.tif 000011
【図１１】
0004782318.tif 000012